(57)【要約】【課題】粉塵移送部を保持するための集塵装置の構成部材に関する改良技術を提供する。【解決手段】本体部１０３にサイドハンドル１１０が着脱可能な電動ハンマ１０１に対して取り付けられる集塵装置１４０が構成される。集塵装置１４０は、集塵フード１４１とホース保持具１４５を有している。サイドハンドル１１０は、本体部１０３に装着される取付リング部１１１とグリップ部１２１とグリップ固定部１３１を有している。グリップ部１２１はグリップ固定部１３１に対してハンマビット２００の長軸方向に交差する方向に相対移動することで固定されるように構成されている。そして、グリップ部１２１を固定するための相対移動によって、ホース保持具１４５がグリップ部１２１とグリップ固定部１３１の間に保持される。一方、集塵フード１４１は係合溝１４９ａを有しており、ホース接続部１４９に接続された集塵ホース１４３と係合することで、集塵ホース１４３の脱落を規制する。【選択図】  図１
2014138969.tif 000002
【特許請求の範囲】
【請求項１】
工具本体の先端領域に装着された工具ビットが少なくとも長軸方向に直線動作する打撃工具に取り付けられる集塵装置であって、
粉塵を吸引する粉塵吸引口と、前記粉塵吸引口から前記集塵部内に吸引された粉塵を下流側へと移送するための粉塵移送部が着脱可能な粉塵移送部取付部を備えた集塵部を有し、
前記集塵部は、前記粉塵移送部と前記集塵部が第１方向に相対移動することで前記粉塵移送部が前記粉塵移送部取付部に装着されるように構成されており、
前記粉塵移送部取付部は、前記粉塵移送部が取り付けられた状態で、前記粉塵移送部取付部と前記粉塵移送部の前記第１方向に関する相対移動を規制する規制部を有することを特徴とする集塵装置。
【請求項２】
請求項１に記載の集塵装置であって、
前記規制部は、螺旋状の溝として形成されていることを特徴とする集塵装置。
【請求項３】
請求項２に記載の集塵装置であって、
前記溝の深さは、前記粉塵移送部取付部における前記粉塵吸引口側の基端部から前記粉塵吸引口とは反対側の先端部に向かって浅くなるように形成されていることを特徴とする集塵装置。
【請求項４】
請求項１〜３のいずれか１項に記載の集塵装置であって、
前記粉塵吸引口から前記集塵部内に吸引された粉塵を下流側へと移送するための粉塵移送部をさらに有し、
前記粉塵移送部は、前記粉塵移送部取付部に装着可能な装着部を有し、
前記装着部は、前記規制部と係合可能な係合部を有していることを特徴とする集塵装置。
【請求項５】
請求項２または３に記載の集塵装置であって、
前記粉塵吸引口から前記集塵部内に吸引された粉塵を下流側へと移送するための粉塵移送部をさらに有し、
前記粉塵移送部は、前記粉塵移送部取付部に装着可能な装着部と、粉塵が移送される粉塵移送本体部を有し、
前記装着部は、前記規制部と係合可能な螺旋状の係合部を有しており、
前記粉塵移送本体部は、前記螺旋状の係合部と同じ螺旋状に形成されていることを特徴とする集塵装置。
【請求項６】
請求項１〜５のいずれか１項に記載の集塵装置であって、
前記集塵部は、前記工具ビットを包囲するように配置されるように構成されていることを特徴とする集塵装置。
【請求項７】
請求項１〜６のいずれか１項に記載の集塵装置であって、
前記集塵部は、ゴム製であることを特徴とする集塵装置。
【請求項８】
請求項１〜７のいずれか１項に記載の集塵装置であって、
前記粉塵移送部を前記打撃工具の工具本体に対して保持するための保持部材をさらに有することを特徴とする集塵装置。
【請求項９】
請求項８に記載の集塵装置であって、
前記保持部材は、前記粉塵移送部が延在する第２方向への当該粉塵移送部の移動を規制する移動規制部を有することを特徴とする集塵装置。
【請求項１０】
請求項１〜９のいずれか１項に記載の集塵装置を有することを特徴とする打撃工具。
【発明の詳細な説明】
【技術分野】
【０００１】
本発明は、打撃工具による加工作業で生じた粉塵を集塵するための集塵装置および集塵装置を備えた打撃工具に関する。
【背景技術】
【０００２】
特開２０１２−１６７８９号公報には、集塵フードと、ホース保持具を有し、打撃工具に対して着脱可能な集塵装置が記載されている。この集塵装置によれば、集塵フードは、集塵ホースの先端部に接続され、ホース保持具は、集塵ホースの中間部を保持するように構成されている。
【先行技術文献】
【特許文献】
【０００３】
【特許文献１】特開２０１２−１６７８９号公報
【発明の概要】
【発明が解決しようとする課題】
【０００４】
しかしながら、特開２０１２−１６７８９号公報に記載された集塵装置においては、集塵ホースが集塵フードから脱落する可能性があり、集塵ホースと集塵ホースの取付技術に関してなお改良の余地がある。そこで本発明は、上記に鑑み、粉塵移送部を保持するための集塵装置の構成部材に関する改良技術を提供することを目的とする。
【課題を解決するための手段】
【０００５】
上記課題を解決するため、本発明に係る集塵装置の好ましい形態によれば、工具本体の先端領域に装着された工具ビットが少なくとも長軸方向に直線動作する打撃工具に取り付けられる集塵装置が構成される。この集塵装置は、粉塵を吸引する粉塵吸引口と、粉塵吸引口から集塵部内に吸引された粉塵を下流側へと移送するための粉塵移送部が着脱可能な粉塵移送部取付部を備えた集塵部を有する。そして、粉塵移送部と集塵部が第１方向に相対移動することで粉塵移送部が粉塵移送部取付部に装着されるように構成されている。
さらに、粉塵移送部取付部は、粉塵移送部が取り付けられた状態で、粉塵移送部取付部と粉塵移送部の第１方向に関する相対移動を規制する規制部を有する。粉塵移送部と集塵部が第１方向に相対移動することで粉塵移送部が粉塵移送部取付部に装着される構成とは、粉塵移送部と粉塵移送部取付部が螺合することで装着される構成や、粉塵移送部と粉塵移送部取付部が当接することで生じる摩擦力によって保持されることで装着される構成などを好適に包含する。また、規制部としては、機械的係合によって移動を規制する構成や、磁力等によって移動を規制する構成を好適に包含する。なお、粉塵移送部と粉塵移送部取付部は、一方の構成要素が内側で他方の構成要素が外側に配置される構成が好ましい。
【０００６】
本発明によれば、粉塵移送部取付部と粉塵移送部の第１方向に関する相対移動を規制する規制部を有するため、粉塵移送部取付部に取り付けられた粉塵移送部が脱落することを抑制することができる。すなわち、打撃工具の作業時に生じる振動によって、粉塵移送部が粉塵移送部取付部から脱落することを抑制できる。
【０００７】
本発明に係る集塵装置の更なる形態によれば、規制部は、螺旋状の溝として形成されている。
【０００８】
本形態によれば、粉塵移送部を螺旋状の溝として形成された規制部に螺合させることで、粉塵移送部取付部に取り付けられた粉塵移送部が粉塵移送部取付部から脱落することを効果的に抑制することができる。
【０００９】
本発明に係る集塵装置の更なる形態によれば、溝の深さは、粉塵移送部取付部における粉塵吸引口側の基端部から粉塵吸引口とは反対側の先端部に向かって浅くなるように形成されている。
【００１０】
本形態によれば、粉塵移送部を粉塵移送部取付部に装着する際に、装着初期段階においては、粉塵移送部は浅い溝と係合し、装着最終段階においては、粉塵移送部は深い溝と係合する。したがって、粉塵移送部と粉塵移送部取付部を第１方向に相対移動させて装着する構成において、装着初期段階では粉塵移送部と粉塵移送部取付部が相対移動しやすく、装着最終段階で粉塵移送部と粉塵移送部取付部が確実に係合する。これにより、粉塵移送部が粉塵移送部取付部によって安定的に取り付けられる。その結果、粉塵移送部が粉塵移送部取付部から脱落することを効果的に抑制することができる。
【００１１】
本発明に係る集塵装置の更なる形態によれば、粉塵吸引口から集塵部内に吸引された粉塵を下流側へと移送するための粉塵移送部をさらに有している。この粉塵移送部は、粉塵移送部取付部に装着可能な装着部を有している。そして、装着部は、規制部と係合可能な係合部を有している。この規制部と係合部は、一方が凹部、他方が凸部として形成されることが好ましい。
【００１２】
本形態によれば、規制部と係合部が係合することで、粉塵移送部と粉塵移送部取付部が確実に係合する。これにより、粉塵移送部が粉塵移送部取付部によって安定的に取り付けられる。その結果、粉塵移送部が粉塵移送部取付部から脱落することを効果的に抑制することができる。
【００１３】
本発明に係る集塵装置の更なる形態によれば、粉塵吸引口から集塵部内に吸引された粉塵を下流側へと移送するための粉塵移送部をさらに有している。この粉塵移送部は、粉塵移送部取付部に装着可能な装着部と、粉塵が移送される粉塵移送本体部を有している。この装着部は、規制部と係合可能な螺旋状の係合部を有している。さらに、粉塵移送本体部は、螺旋状の係合部と同じ螺旋状に形成されている。この場合、螺旋状に形成された粉塵移送本体部の先端部が装着部として機能することが好ましい。また、粉塵移送本体部は、螺旋形状によって伸縮自在に形成されていることが好ましい。
【００１４】
本形態によれば、螺旋状に形成された係合部を規制部に形成された溝と螺合させることで、粉塵移送部を粉塵移送部取付部に取り付けることができる。さらに、螺旋状に形成された粉塵移送本体部の先端部が装着部として機能する場合には、係合部を特別に形成する必要がない。
【００１５】
本発明に係る集塵装置の更なる形態によれば、集塵部は、工具ビットを包囲するように配置されるように構成されている。さらに集塵部は、ゴム製であることが好ましい。
【００１６】
本形態によれば、集塵部が工具ビットを包囲するため、集塵部が工具ビットによって安定的に保持される。
【００１７】
本発明に係る集塵装置の更なる形態によれば、粉塵移送部を打撃工具の工具本体に対して保持するための保持部材をさらに有する。この保持部材は、工具本体に直接取り付けられてもよく、一方で工具本体に取り付けられる補助ハンドル等を介して間接的に工具本体に取り付けられてもよい。
【００１８】
本形態によれば、保持部材が、粉塵移送部を保持することで、保持部材と集塵部の両方で粉塵移送部を保持することができる。
【００１９】
本発明に係る集塵装置の更なる形態によれば、保持部材は、粉塵移送部が延在する第２方向への当該粉塵移送部の移動を規制する移動規制部を有する。
【００２０】
本形態によれば、移動規制部が、粉塵移送部の移動を規制することで、保持部材と集塵部の両方で粉塵移送部をより安定的に保持することができる。
【００２１】
本発明に係る打撃工具によれば、上記に記載したいずれかの集塵装置を備えた打撃工具が構成される。
【発明の効果】
【００２２】
本発明によれば、粉塵移送部を保持するための集塵装置の構成部材に関する改良技術を提供することができる。
【図面の簡単な説明】
【００２３】
【図１】本発明に係る集塵装置を備えた打撃工具の斜視図である。
【図２】補助ハンドルの断面図である。
【図３】粉塵吸引口側から見た集塵フードの斜視図である。
【図４】ホース接続部から見た集塵フードの斜視図である。
【図５】ホース接続部の断面図である。
【図６】ホース接続部に集塵ホースが接続された状態を示す断面図である。
【図７】ホース接続部に別の集塵ホースが接続された状態を示す断面図である。
【図８】ホース保持具の斜視図である。
【図９】ホース保持具の斜視図である。
【図１０】ホース保持具が保持された状態を示す打撃工具の正面図である。
【図１１】ホース保持具が取り外された状態を示す打撃工具の正面図である。
【発明を実施するための形態】
【００２４】
以下、本発明の実施形態につき、図１〜図１１を参照して詳細に説明する。この実施形態は、集塵装置を備えた打撃工具としての電動ハンマに本発明を適用した例である。図１に示すように、電動ハンマ１０１には補助ハンドルとしてのサイドハンドル１１０と集塵装置１４０が装着されている。
【００２５】
図１に示すように、電動ハンマ１０１は、ハンマドリル１０１の外郭を形成する本体部１０３と、本体部１０３に連接されたメインハンドルとしてのハンドグリップ１０９を主体として構成されている。本体部１０３の先端部（図１の左側）にはツールホルダ（図示省略）を介してハンマビット２００が着脱自在に取り付けられている。この本体部１０３は、本発明における「工具本体」に対応し、ハンマビット２００は、本発明における「工具ビット」に対応する実施構成例である。
【００２６】
ハンマビット２００は、ツールホルダに対しチャック１０８を介してハンマビット２００の長軸方向への相対的な往復移動可能であり、かつ長軸方向周りの周方向への相対的な回動が規制された状態で保持される。なお説明の便宜上、電動ハンマ１０１のハンマビット２００が取り付けられた先端部側を前、ハンドグリップ１０９が配置された後端部側を後という。
【００２７】
本体部１０３は、ハウジング１０５とバレル１０７を主体として構成されている。バレル１０７は、ハウジング１０５の前方に配置される略円筒状の部材である。この本体部１０３内には、便宜上図示を省略する駆動モータ、クランク機構、打撃要素等が収容されている。クランク機構は、駆動モータの回転運動を直線運動に変換する運動変換機構として構成されている。打撃要素は、クランク機構によってハンマビット２００の長軸方向に移動されるストライカと、当該ストライカの移動をハンマビット２００に伝達することでハンマビット２００を打撃するインパクトボルトとによって構成されている。
【００２８】
上記の通り構成される電動ハンマ１０１において、駆動モータが通電駆動されると、ハンマビット２００は、クランク機構から打撃要素を介して長軸方向への打撃力が加えられる。これにより、ハンマビット２００が長軸方向のハンマ動作を行い、被加工材（例えば、コンクリート）に対して加工作業が行われる。
【００２９】
次に補助ハンドルとしてのサイドハンドル１１０につき、図２を参照して説明する。サイドハンドル１１０は、電動ハンマ１０１のバレル１０７に着脱自在に取付けられる着脱式である。サイドハンドル１１０は、取付リング部１１１、グリップ部１２１、グリップ固定部１３１を主体として構成されている。
【００３０】
取付リング部１１１は、略円筒状のバレル１０７の外周面を囲むように取り付けられる。グリップ部１２１は、作業者に把持されるように構成されており、取付リング部１１１の径方向に延在する棒状の部材である。グリップ部１２１は、取付リング部１１１側に設けられたフランジ１２３と、グリップ部１２１の内部に配置されたナット１２５を主体として構成されている。
【００３１】
グリップ固定部１３１は、取付リング部１１１の外側を覆うリング保持部１３３と、取付リング部１１１に連接されたボルト１３５を主体として構成されている。グリップ部１２１とグリップ固定部１３１が、グリップ部１２１の長軸方向周りに相対回転することで、ナット１２５とボルト１３５が螺合し、グリップ部１２１とグリップ固定部１３１が、グリップ部１２１の長軸方向に相対移動する。これにより、取付リング部１１１とリング保持部１３３によってバレル１０７を保持する。すなわち、サイドハンドル１１０が電動ハンマ１０１の本体部１０３に装着される。
【００３２】
次に集塵装置１４０につき、図３〜図９を参照して説明する。集塵装置１４０は、集塵フード１４１とホース保持具１４５を主体として構成されている。集塵フード１４１はゴムで形成されており、ホース保持具１４５は樹脂で形成されている。集塵フード１４１に集塵ホース１４３が接続され、ホース保持具１４５によって集塵ホース１４３が保持されるように構成される。この集塵フード１４１は、本発明における「集塵部」に対応し、集塵ホース１４３は、本発明における「粉塵移送部」に対応し、ホース保持具１４５は、本発明における「保持部材」に対応する実施構成例である。
【００３３】
図３、図４に示すように、集塵フード１４１は、加工作業時に生ずる粉塵を集塵する部材であり、粉塵吸引口１４７、ハンマビット貫通部１４８、ホース接続部１４９を主体として構成されている。粉塵吸引口１４７は、集塵フード１４１の先端側（前端側）が開口された略カップ状部材として構成されている。ハンマビット貫通部１４８は、ハンマビット２００が挿通される貫通孔を有する。ホース接続部１４９は、集塵フード１４１の粉塵吸引口１４７とは反対の後端側に設けられ、集塵ホース１４３が接続されるように構成されている。粉塵吸引口１４７とホース接続部１４９は、内部空間が互いに連通するように構成されている。この粉塵吸引口１４７、ホース接続部１４９がそれぞれ、本発明における「粉塵吸引口」、「粉塵移送部取付部」に対応する実施構成例である。
【００３４】
図５に示すように、ホース接続部１４９は、内側に螺旋状の係合溝１４９ａを有する。この係合溝１４９ａは、ホース接続部１４９の開口部１４９ｂから粉塵吸引口１４７に向かう方向に向かって溝の深さが深くなるように形成されている。換言すると、ホース接続部１４９の内径は開口部１４９ｂから離れるほど内径が小さくなるようにテーパ状に形成された内壁を有する。
【００３５】
図６に示すように、ホース接続部１４９の内側に螺旋状の係合溝１４９ａが形成されているため、螺旋状の蛇腹を備えた伸縮自在な集塵ホース１４３を係合溝１４９ａに螺合させることで、集塵ホース１４３とホース接続部１４９が接合される。一方、図７に示すように、ホース接続部１４９の内側がテーパ状に形成されていることで、先端部がテーパ状に形成された取付部材１４３ａ（フロントカフスとも称呼する）を有する集塵ホース１４３をホース接続部１４９に接合させることも可能である。なお、取付部材１４３ａの先端部には、係合溝１４９ａと係合可能な溝部１４３ｂが形成されている。以上の通り、ホース接続部１４９の内側に螺旋状の係合溝１４９ａが形成されており、係合溝１４９ａの深さが開口部１４９ｂから離れるほど深くなるように構成されていることで、集塵フード１４１に対して複数の種類の集塵ホース１４３を選択的に取り付けることができる。この係合溝１４９ａが、本発明における「規制部」および「溝」に対応する実施構成例である。また、集塵ホース１４３先端部の螺旋状の蛇腹部分、あるいは取付部材１４３ａの溝部１４３ｂが、本発明における「係合部」に対応する実施構成例である。
【００３６】
図８、図９に示すように、ホース保持具１４５は、ホース係合部１５０とサイドハンドル係合部１５２を有している。ホース係合部１５０は、集塵ホース１４３の外形を覆うように略Ｕ字状に形成されている。さらに、ホース係合部１５０には、集塵ホース１４３と係合する係合リブ１５１がホース係合部１５０の長軸方向の略中心位置にホース係合部１５０の長軸方向に交差する方向に延在するように設けられている。この係合リブ１５１は、この係合リブ１５１は、蛇腹状の集塵ホース１４３の蛇腹部分と係合することで、集塵ホース１４３が延在する方向への集塵ホース１４３の移動を規制して、集塵ホース１４３を安定的に保持する。この係合リブ１５１が、本発明における「移動規制部」に対応する実施構成例である。
【００３７】
サイドハンドル係合部１５２は、サイドハンドル１１０に保持される部分であり、クランプ部１５３とフランジ部１５４を有する。クランプ部１５３には切欠き部１５３ａが形成されており、切欠き部１５３ａにサイドハンドル１１０のボルト１３５が配置されるように構成されている。フランジ部１５４は、クランプ部１５３の両端部にそれぞれ形成され、クランプ部１５３に対して垂直に配置されている。
【００３８】
次に、ホース保持具１４５の装着について図１０、図１１を参照して説明する。ホース保持具１４５の装着は、サイドハンドル１１０の本体部１０３への取付と同時に行われる。具体的には、サイドハンドル１１０の本体部１０３への取付は、図１１に示す状態において、グリップ部１２１を長軸周りに回動させることで、ナット１２５とボルト１３５が螺合する。これにより、グリップ部１２１がグリップ固定部１３１に対して相対移動する。グリップ部１２１とグリップ固定部１３１の間の隙間がなくなるまでグリップ部１２１を回動させることで、グリップ部１２１がグリップ固定部１３１に対して固定されるとともに、取付リング部１１１の外側がリング保持部１３３に係合することで、取付リング部１１１が本体部１０３のバレル１０７に固定される。その結果、サイドハンドル１１０が本体部１０３に取り付けられる。
【００３９】
ホース保持具１４５の装着するために、サイドグリップ１１０を本体部１０３に取り付ける際に、グリップ部１２１とグリップ固定部１３１の間にホース保持具１４５を配置する。具体的には、図１０に示すように、切欠き部１５３ａ内にボルト１３５を配置し、２つのフランジ部１５４がリング保持部１３３の側面に対向するように配置する。その後、グリップ部１２１を長軸周りに回動させることで、クランプ部１５３が鍔部１２３とグリップ固定部１３１によって挟持される。すなわち、ホース保持具１４５がグリップ部１２１とグリップ固定部１３１の間に保持される。なお、グリップ部１２１を長軸周りに回動させてボルト１３５とナット１２５を螺合させる際に、フランジ部１５４がリング保持部１３３の側面に当接することで、ホース保持具１４５がグリップ部１２１の長軸周りに回動することを規制している。
【００４０】
以上の通り、ホース保持具１４５がサイドグリップ１１０に取付けられ、集塵フード１４１のハンマビット貫通部１４８にハンマビット２００が挿入されることで集塵装置１４０が電動ハンマ１０１に取り付けられる。集塵フード１４１とホース保持具１４５が電動ハンマ１０１に取り付けられた状態で、集塵ホース１４３の先端部を集塵フード１４１のホース接続部１４９に接続し、集塵ホース１４３の中間部をホース保持具１４５のホース係合部１５０に係合させることで、図１に示すように集塵ホース１４３が電動ハンマ１０１に対して取り付けられる。なお、集塵ホース１４３の蛇腹部分とホース係合部１５０の係合リブ１５１を係合させることで、集塵ホース１４３が延在する方向への集塵ホース１４３の移動を規制する。なお、集塵ホース１４３の後端部は吸引装置としての図示しない集塵機に接続される。
【００４１】
以上の本実施形態によれば、サイドハンドル１１０を固定するためにグリップ固定部１３１に対してグリップ部１２１を相対移動させることでホース保持具１４５を保持することができる。すなわち、サイドハンドル１１０を本体部１０３に取り付けるためにグリップ部１２１を相対移動させることでホース保持具１４５を取り付けることができ、ホース保持具１４５の取付動作が簡略化される。とりわけ、本実施形態のようにバー型のグリップ部１２１を有するサイドハンドル１１０を電動ハンマ１０１に取り付ける構成において、ホース保持具１４５が合理的に取り付けられる。この場合、グリップ部１２１がフランジ１２３を備えていることで、フランジ１２３がクランプ部１５３に当接してホース保持具１４５をより安定的に保持することができる。
【００４２】
また、本実施形態によれば、ホース保持具１４５にフランジ部１５４が設けられていることで、サイドハンドル係合部１５２が補強されるとともに、グリップ部１２１を長軸周りに回動させてボルト１３５とナット１２５を螺合させる際に、ホース保持具１４５がグリップ部１２１の長軸周りに回動することを規制することができる。
【００４３】
また、本実施形態によれば、ホース保持具１４５に係合リブ１５１が設けられていることで、ホース係合部１５０が補強されるとともに、ホース係合部１５０に係合した集塵ホース１４３の移動を規制することができる。これにより、ホース保持具１４５が確実に集塵ホース１４３を保持することができる。とりわけ、ホース保持具１４５は、係合リブ１５１は１つのみ有する構成であるため、樹脂製のホース保持具１４５を成形する上で特に有利である。
【００４４】
また、本実施形態によれば、集塵フード１４１がハンマビット２００によって保持され、ホース保持具１４５がサイドグリップ１１０によって保持されるため、集塵装置１４０を電動ハンマ１０１の本体部１０３に対して安定的に保持することができる。
【００４５】
以上の実施形態においては、打撃工具の一例としてハンマビット２００が長軸方向のハンマ動作のみを行なう電動ハンマ１０１について説明したが、これには限られない。例えば、ハンマビット２００がハンマ動作を行うハンマ作業モードと、ハンマビット２００がハンマ動作とハンマビット２００の長軸周りに回動するハンマドリル動作とを行うハンマドリル作業モードとの間で作業モードの切り替えが可能なハンマドリルに本発明を適用することが可能である。
【００４６】
また、以上においては、ボルト１３５とナット１２５が螺合することでグリップ固定部１３１に対してグリップ部１２１が相対移動するように構成されていたが、これには限られない。例えば、グリップ固定部１３１に対してグリップ部１２１が直線的に摺動することで相対移動するように構成されており、当該相対移動に伴ってグリップ部１２１がグリップ固定部１３１に固定されるように構成されていてもよい。
【００４７】
また、以上においては、移動規制部として１つの係合リブ１５１が設けられていたが、これには限られない。例えば、複数の係合リブ１５１が形成されていてもよい。また、移動規制部として、凸部以外に磁力などを利用して集塵ホース１４３の移動を規制するように構成されていてもよい。
【００４８】
また、以上においては、サイドグリップ１１０がリング状の取付リング部１１１を介して本体部１０３に取り付けられるように構成されていたが、これには限られない。すなわち、サイドグリップ１１０が本体部１０３に取り付けられるように構成されていれば、取付部の形状はリング状の部材に限定されるものではない。例えば、取付部として本体部１０３の一部と係合する係合凸部あるいは係合凹部で形成されていてもよい。
【００４９】
また、以上においては、係合溝１４９ａは螺旋状の溝として形成されていたが、これには限られない。例えば、集塵ホース１４３が変形自在であり、当該変形を利用して集塵ホース１４３をホース接続部１４９に取り付ける場合には、規制部として周方向に形成された複数の溝がホース接続部１４９の軸方向に並列に形成されていてもよい。
【００５０】
また、以上においては、ホース接続部１４９の内側に集塵ホース１４３が挿入されることで、集塵ホース１４３が取り付けられるように構成されていたが、これには限られない。例えば、集塵ホース１４３の内側がホース接続部１４９の外側に係合するように構成されていてもよい。
【００５１】
また、以上においては、規制部として係合溝１４９ａが形成されていたが、これには限られない。例えば、規制部として、溝以外に磁力などを利用して集塵ホース１４３の移動を規制するように構成されていてもよい。
【００５２】
上記発明の趣旨に鑑み、本発明に係る集塵装置は、下記の態様が構成可能である。
（態様１）
「工具本体の先端領域に装着された工具ビットが少なくとも長軸方向に直線動作する打撃工具に取り付けられる集塵装置であって、
粉塵を吸引する粉塵吸引口を有する集塵部と、
前記粉塵吸引口から前記集塵部内に吸引された粉塵を下流側へと移送するための粉塵移送部が着脱可能に構成され、当該粉塵移送部を前記工具本体に対して保持する保持部材とを有し、
前記打撃工具は、作業者に把持される補助ハンドルが前記工具本体に着脱可能に取り付けられるように構成されており、
前記補助ハンドルは、
前記工具本体に取り付けられる取付部と、
前記長軸方向に交差する交差方向に延在するハンドル部と、
前記取付部に連接し、前記ハンドル部が係合可能な係合部とを備え、
前記ハンドル部は、前記係合部に対して前記交差方向に相対移動することで前記係合部と係合して固定されるように構成されており、
前記保持部材は、前記係合部と前記ハンドル部の前記交差方向に関する相対移動に伴って前記係合部と前記ハンドル部の間に挟持されるように構成されていることを特徴とする集塵装置。」
【００５３】
（態様２）
「請求項１に記載の集塵装置であって、
前記粉塵移送部が前記粉塵移送部取付部の内側に挿入されることで前記粉塵移送部が前記粉塵移送部取付部に装着されるように構成されていることを特徴とする集塵装置。」
【００５４】
（態様３）
「請求項２に記載の集塵装置であって、
前記溝は、前記粉塵移送部取付部の内側に形成されていることを特徴とする集塵装置。」
【００５５】
（態様４）
「態様２または３に記載の集塵装置であって、
前記粉塵移送部取付部は、前記粉塵移送部が挿入される開口部から前記粉塵吸引口に向かって内径が小さくなるように構成されていることを特徴とする集塵装置。」
【００５６】
（態様５）
「請求項５に記載の集塵装置であって、
前記粉塵移送本体部は、伸縮可能に構成されていることを特徴とする集塵装置。」
【００５７】
（本実施形態の各構成要素と本発明の各構成要素の対応関係）
本実施形態の各構成要素と本発明の各構成要素の対応関係を以下の通り示す。なお、本実施形態は、本発明を実施するための形態の一例を示すものであり、本発明は、本実施形態の構成に限定されるものではない。
本体部１０３は、本発明の「工具本体」に対応する構成の一例である。
ハンマビット２００は、本発明の「工具ビット」に対応する構成の一例である。
集塵フード１４１は、本発明の「集塵部」に対応する構成の一例である。
集塵ホース１４３は、本発明の「粉塵移送部」に対応する構成の一例である。
ホース保持具１４５は、本発明の「保持部材」に対応する構成の一例である。
粉塵吸引口１４７は、本発明の「粉塵吸引口」に対応する構成の一例である。
ホース接続部１４９は、本発明の「粉塵移送部取付部」に対応する構成の一例である。
係合溝１４９ａは、本発明の「規制部」に対応する構成の一例である。
係合溝１４９ａは、本発明の「溝」に対応する構成の一例である。
係合リブ１５１は、本発明の「移動規制部」に対応する構成の一例である。
【符号の説明】
【００５８】
１０１  電動ハンマ
１０３  本体部
１０５  ハウジング
１０７  バレル
１０８  チャック
１０９  ハンドグリップ
１１０  サイドハンドル
１１１  取付リング部
１２１  グリップ部
１２３  フランジ
１２５  ナット
１３１  グリップ固定部
１３３  リング保持部
１３５  ボルト
１４０  集塵装置
１４１  集塵フード
１４３  集塵ホース
１４３ａ  取付部材
１４３ｂ  溝部
１４５  ホース保持具
１４７  粉塵吸引口
１４８  ハンマビット貫通部
１４９  ホース接続部
１４９ａ  係合溝
１４９ｂ  開口部
１５０  ホース係合部
１５１  係合リブ
１５２  サイドハンドル係合部
１５３  クランプ部
１５３ａ  切欠き部
１５４  フランジ部
２００  ハンマビット
【図１】
2014138969.tif 000003
【図２】
2014138969.tif 000004
【図３】
2014138969.tif 000005
【図４】
2014138969.tif 000006
【図５】
2014138969.tif 000007
【図６】
2014138969.tif 000008
【図７】
2014138969.tif 000009
【図８】
2014138969.tif 000010
【図９】
2014138969.tif 000011
【図１０】
2014138969.tif 000012
【図１１】
2014138969.tif 000013